(57)【要約】【課題】循環させる浴水の一部を導き、かつ浴水中の塩素イオン濃度に応じた電解水を生成させて徐々に浴水に混入する電解水生成手段を配設させることで、不快な臭いを発することなく浴水の抗菌を可能とした浴水浄化装置を実現する。【解決手段】電解槽２１内に浴水の電気伝導度を検知する電気伝導度検知手段２５が設けられ、電解水生成手段２０は、浄化運転をするときに、浴水浄化手段３０を循環する浴水の一部を導き、かつ電気伝導度検知手段２５により検知された電気伝導度に基づいて次亜塩素酸の必要生成量を求めるとともに、必要生成量に基づいて次亜塩素酸を含む電解水を生成させて浴水に混入するように構成した。これにより、不快な臭いを発することなく浴水の抗菌ができる。【選択図】　　　　図２
2004089970.tif 000002
【特許請求の範囲】
【請求項１】
浴槽（１）内の浴水が導かれる電解槽（２１）および前記電解槽（２１）内に配設され互いに異なる極性の電極（２２、２３）を有し、浴水を電気分解することにより次亜塩素酸を含む電解水を生成する電解水生成手段（２０）と、
浴水を通過させて浄化する浄化手段（３１）を有し、必要に応じて前記電解水生成手段（２０）による電解水を混入させて浴水を抗菌するとともに、前記浴槽（１）から浴水を循環させて浴水を浄化する浴水浄化手段（３０）とを備える浴水浄化装置において、
前記電解槽（２１）内に浴水の電気伝導度を検知する電気伝導度検知手段（２５）が設けられ、前記電解水生成手段（２０）は、浄化運転をするときに、前記浴水浄化手段（３０）を循環する浴水の一部を導き、かつ前記電気伝導度検知手段（２５）により検知された電気伝導度に基づいて次亜塩素酸の必要生成量を求めるとともに、前記必要生成量に基づいて次亜塩素酸を含む電解水を生成させて浴水に混入するように構成したことを特徴とする浴水浄化装置。
【請求項２】
前記電気伝導度検知手段（２５）は、前記電極（２２、２３）間に流れる電流値を検知し、前記電流値に基づいて電気伝導度を求めることを特徴とする請求項１に記載の浴水浄化装置。
【請求項３】
前記電解水生成手段（２０）は、前記電気伝導度検知手段（２５）により検知された電気伝導度が高いときに、次亜塩素酸を含む電解水の電解能力を低めに、もしくは電気伝導度が低いときに、次亜塩素酸を含む電解水の電解能力を高めに制御するようにしたことを特徴とする請求項１または請求項２に記載の浴水浄化装置。
【請求項４】
前記電解水生成手段（２０）は、前記電気伝導度検知手段（２５）により入浴毎に電気伝導度を検知し、前記電気伝導度の変化量に応じて次亜塩素酸の必要生成量を求めるとともに、前記必要生成量に基づいて浴水を電気分解することを特徴とする請求項１または請求項２に記載の浴水浄化装置。
【請求項５】
前記電解水生成手段（２０）は、前記電気伝導度検知手段（２５）により前記電解槽（２１）内に導かれる浴水の温度が少なくとも２段階に可変させたときのそれぞれの電気伝導度を検知し、前記電気伝導度の変化割合に応じた浴水中のイオンに対する塩素イオン比率に基づいて次亜塩素酸の必要生成量を求めるとともに、前記必要生成量に基づいて浴水を電気分解することを特徴とする請求項１または請求項２に記載の浴水浄化装置
【請求項６】
前記電解水生成手段（２０）は、前記電気伝導度検知手段（２５）により検知された電気伝導度が所定値以下のときと前記電気伝導度が所定値以上のときとが異なる制御量を有し、前記制御量に基づいて浴水を電気分解することを特徴とする請求項１または請求項２に記載の浴水浄化装置。
【請求項７】
前記制御量は、浴水を電気分解するときの前記電極（２２、２３）間を流れる制御電流値であって、前記制御電流値は、前記電気伝導度が所定値以上のときよりも前記電気伝導度が所定値以下のときの方が高めてあることを特徴とする請求項６に記載の浴水浄化装置。
【請求項８】
前記制御量は、浴水を電気分解するときの前記電極（２２、２３）間を流れる制御電流値であって、前記制御電流値は、前記電気伝導度が所定値以上のときと、前記電気伝導度が所定値以下のときとが異なる二つの制御量であることを特徴とする請求項６に記載の浴水浄化装置。
【請求項９】
前記制御量は、浴水を電気分解するときの前記電極（２２、２３）間を流れる制御電流値であって、前記電気伝導度が所定値以下のときに前記電気伝導度に対する前記制御電流値の変化度合が大であるとともに、前記電気伝導度が所定値以上のときに前記電気伝導度に対する前記制御電流値の変化度合が小であることを特徴とする請求項６に記載の浴水浄化装置。
【請求項１０】
前記制御量は、前記電気伝導度が所定値以下のときに、前記電極（２２、２３）間に印加する電圧が一定であることを特徴とする請求項９に記載の浴水浄化装置。
【発明の詳細な説明】
【０００１】
【発明の属する技術分野】
本発明は、浴槽内の浴水を抗菌するとともに浄化する浴水浄化装置に関するものであり、特に浴水に含まれる塩素イオンから次亜塩素酸を含む電解水を生成する電解水生成手段に関する。
【０００２】
【従来の技術】
従来から、浴水を電気分解することで、浴水に含まれる塩素イオンから抗菌作用を有する次亜塩素酸を生成する電解水生成技術は知られている。ところで、次亜塩素酸の生成量は塩素イオン濃度によって左右される。因みに塩素イオン濃度が低いと生成量が少なく、塩素イオン濃度が高いと生成量が多くなることが知られている。ただし、この塩素イオン濃度は各地の水道局によってバラツキがあり、しかも、同一の場所においても季節によってもバラツキが大であるため、塩素イオン濃度を検知し、その塩素イオン濃度に応じて必要とする次亜塩素酸を生成する技術して、例えば特開平１０−３２８６６７号公報で開示されているものが知られている。
【０００３】
この公報では、浴槽から浴水を循環させて浴水を浄化する浴水浄化装置において、浴水を通過させて浄化する浄化手段の下流側に次亜塩素酸を生成する電解水生成手段を設けている。そして、次亜塩素酸を生成するときに、浴水中の塩素イオン濃度を測定する代りに電気伝導度を測定し、この電気伝導度に基づき目的とする濃度の次亜塩素酸を生成する電流を電極間に印加するようにしている。
【０００４】
【発明が解決しようとする課題】
しかしながら、上記公報によれば、目的とする濃度の次亜塩素酸を生成する電流を電極間に印加する電解水生成手段は、浄化手段を通過した浴水すべてを電気分解させる構成としているため、浄化運転の開始直後には急速な電気分解が必要となる。すなわち、上記公報には電解時間の所用時間について記載がないが、浄化運転を短時間で終えようとすると電極の電解面積を大きくさせる等の電解能力の大きい電解水生成手段が必要となる。
【０００５】
さらに、次亜塩素酸は塩素イオン濃度が高いときには次亜塩素酸の発生量が大となるため、電解能力の大きい電解水生成手段を用いると、概して過剰な次亜塩素酸が生成されやすいため不快な刺激臭を発するなどの問題がある。
【０００６】
ところで、発明者らの研究によると、入浴後の浴水には、入浴者の主に発汗などによって浴水中にアンモニア性窒素が溶解されているため、このアンモニア性窒素と次亜塩素酸との反応によって結合塩素が生成されることを見出した。しかも、この結合塩素はアンモニア性窒素の濃度に対して次亜塩素酸の濃度比が高い、言い換えれば過剰な次亜塩素酸を生成させると遊離塩素や不快な塩素臭を発する結合塩素が生成されやすいことも分かった。
【０００７】
そこで、本発明の目的は、上記点を鑑みたものであって、循環させる浴水の一部を導き、かつ浴水中の塩素イオン濃度に応じた電解水を生成させて徐々に浴水に混入する電解水生成手段を配設させることで、不快な臭いを発することなく浴水の抗菌を可能とした浴水浄化装置を提供することにある。
【０００８】
【課題を解決するための手段】
上記目的を達成するために、請求項１ないし請求項５に記載の技術的手段を採用する。すなわち、請求項１に記載の発明では、浴槽（１）内の浴水が導かれる電解槽（２１）およびこの電解槽（２１）内に配設され互いに異なる極性の電極（２２、２３）を有し、浴水を電気分解することにより次亜塩素酸を含む電解水を生成する電解水生成手段（２０）と、浴水を通過させて浄化する浄化手段（３１）を有し、必要に応じて電解水生成手段（２０）による電解水を混入させて浴水を抗菌するとともに、浴槽（１）から浴水を循環させて浴水を浄化する浴水浄化手段（３０）とを備える浴水浄化装置において、
電解槽（２１）内に浴水の電気伝導度を検知する電気伝導度検知手段（２５）が設けられ、電解水生成手段（２０）は、浄化運転をするときに、浴水浄化手段（３０）を循環する浴水の一部を導き、かつ電気伝導度検知手段（２５）により検知された電気伝導度に基づいて次亜塩素酸の必要生成量を求めるとともに、必要生成量に基づいて次亜塩素酸を含む電解水を生成させて浴水に混入するように構成したことを特徴としている。
【０００９】
請求項１に記載の発明によれば、発明者らの研究によると、入浴後の浴水には、入浴者の主に発汗などによって浴水中にアンモニア性窒素が溶解されているため、このアンモニア性窒素と次亜塩素酸との反応によって結合塩素が生成され、しかも、この結合塩素はアンモニア性窒素の濃度に対して次亜塩素酸の濃度比が高い、言い換えれば過剰な次亜塩素酸を生成させると遊離塩素や不快な塩素臭を発する結合塩素が生成されやすいことが分かった。
【００１０】
そこで、本発明の電解水生成手段（２０）は、浄化運転をするときに、浴水浄化手段（３０）を循環する浴水の一部を導き、かつ電気伝導度検知手段（２５）により検知された電気伝導度に基づいて次亜塩素酸の必要生成量を求めるとともに、必要生成量に基づいて次亜塩素酸を含む電解水を生成させて浴水に混入するように構成したことにより、電気伝導度検知手段（２５）によって浴水の塩素イオン濃度が検知できるとともに、その塩素イオン濃度に応じた次亜塩素酸の生成できる。従って、次亜塩素酸の過不足な生成による抗菌作用の不足や雑菌の繁殖による浴水の濁度の上昇などを防止できる。また、次亜塩素酸の過剰な生成による不快な塩素臭の発生を防止できる。
【００１１】
さらに、上述したように浴水に混入させる次亜塩素酸を多量、かつ短時間で生成させて浴水に混入させると、次亜塩素酸の濃度比が高めとなってしまう。そこで、本発明は浄化する浴水の一部を導いて次亜塩素酸を含む電解水を生成させて浴水に混入するように構成したことにより、例えば、電解時間を長くして徐々に電解水を生成させることで大能力の電解水生成手段（２０）を必要とせず小型化できる。
【００１２】
請求項２に記載の発明では、電気伝導度検知手段（２５）は、電極（２２、２３）間に流れる電流値を検知し、この電流値に基づいて電気伝導度を求めることを特徴としている。
【００１３】
請求項２に記載の発明によれば、電気分解させるための電極（２２、２３）を用いて電気伝導度が検知できるため、別の部品を必要とせず部品コストを安くできる。
【００１４】
請求項３に記載の発明では、電解水生成手段（２０）は、電気伝導度検知手段（２５）により検知された電気伝導度が高いときに、次亜塩素酸を含む電解水の電解能力を低めに、もしくは電気伝導度が低いときに、次亜塩素酸を含む電解水の電解能力を高めに制御するようにしたことを特徴としている。
【００１５】
請求項３に記載の発明によれば、発明者らの研究によると、電気伝導度が高いとき、つまり、バラツキの大きい塩素イオン濃度において、塩素イオン濃度が高いときには次亜塩素酸の生成量が多くなり、逆に塩素イオン濃度が低いときには次亜塩素酸の生成量が少なくなることを見出した。そこで、塩素イオン濃度に応じて電解水生成手段（２０）の電解能力を適合させることで、次亜塩素酸の過不足な生成による抗菌作用の不足や雑菌の繁殖による浴水の濁度の上昇などを防止できる。また、次亜塩素酸の過剰な生成による不快な塩素臭の発生を防止できる。
【００１６】
請求項４に記載の発明では、電解水生成手段（２０）は、電気伝導度検知手段（２５）により入浴毎に電気伝導度を検知し、電気伝導度の変化量に応じて次亜塩素酸の必要生成量を求めるとともに、必要生成量に基づいて浴水を電気分解することを特徴としている。
【００１７】
請求項４に記載の発明によれば、入浴人数が増加することでも、人体からの発汗によって塩素イオン濃度が増加することが知られている。そこで、入浴毎に電気伝導度を検知して、電気伝導度の変化量に応じた次亜塩素酸の必要生成量に基づいて浴水を電気分解することにより、塩素イオン濃度に応じた次亜塩素酸の生成ができるため過剰もしくは過不足とならない。
【００１８】
請求項５に記載の発明では、電解水生成手段（２０）は、電気伝導度検知手段（２５）により電解槽（２１）内に導かれる浴水の温度が少なくとも２段階に可変させたときのそれぞれの電気伝導度を検知し、電気伝導度の変化割合に応じた浴水中のイオンに対する塩素イオン比率に基づいて次亜塩素酸の必要生成量を求めるとともに、必要生成量に基づいて浴水を電気分解することを特徴としている。
【００１９】
請求項５に記載の発明によれば、上述した塩素イオン濃度の他に、浴水に含まれる各イオンは浴水温が変化すると電気伝導度が変化するとともに、その変化特性が各イオンによって異なった特性を有している。そこで、浴水中のイオンに対する塩素イオン比率と電気伝導度の変化割合との関係を予め求めておいて、浴水の電気伝導度を異なる温度が少なくとも２点で検知し、その２点における電気伝導度の変化割合を求めて塩素イオン比率を求めても良い。そして、塩素イオン濃度の代わりに浴水中のイオンに対する塩素イオン比率から求めた必要生成量より浴水を電気分解することにより、塩素イオン比率に基づいて次亜塩素酸の必要生成量を求める方が塩素イオンをより精度良く検知できる。
【００２０】
請求項６に記載の発明では、電解水生成手段（２０）は、電気伝導度検知手段（２５）により検知された電気伝導度が所定値以下のときと電気伝導度が所定値以上のときとが異なる制御量を有し、この制御量に基づいて浴水を電気分解することを特徴としている。
【００２１】
請求項６に記載の発明によれば、発明者らの研究によると、塩素イオン濃度に応じて次亜塩素酸の必要生成量を求めるためには、電極（２２、２３）間に流す制御電流値を制御するとともに、この制御電流値と塩素イオン濃度との関係において、塩素イオン濃度が低いときには、塩素イオン濃度に対して電流値の変化度合が大きくなり、ある濃度を超えて濃度が高くなると変化度合が少なくなる特性を見出した。つまり、塩素イオン濃度がある濃度以下のときには、制御電流値を変化させると濃度が急激に変化するが、ある濃度以上のときには、制御電流値を変化させても濃度に変化のない特性を有することが分かった。
【００２２】
そこで、本発明では、ある濃度を所定値と置き換えて、塩素イオン濃度、言い換えれば電気伝導度が所定値以下のときと電気伝導度が所定値以上のときとが異なる二つの制御量を有することにより、塩素イオン濃度に応じて必要生成量に基づいた次亜塩素酸の生成できる。これにより、請求項１と同じ効果を奏する。
【００２３】
請求項７に記載の発明では、制御量は、浴水を電気分解するときの電極（２２、２３）間を流れる制御電流値であって、この制御電流値は、電気伝導度が所定値以上のときよりも電気伝導度が所定値以下のときの方が高めてあることを特徴としている。
【００２４】
請求項７に記載の発明によれば、請求項６で述べたように、塩素イオン濃度、つまり、電気伝導度に応じて電極（２２、２３）間に流れる制御電流値を制御することで、必要生成量に基づいた次亜塩素酸の生成できる。しかも、この制御電流値は、塩素イオン濃度が所定値以上のときに次亜塩素酸の生成が過剰とならない制御電流値であり、塩素イオン濃度が所定値以下のときに、その制御電流値よりも高めとすることで、次亜塩素酸の生成が過不足とならない電流値である。従って、塩素イオン濃度に応じて必要生成量に基づいた次亜塩素酸の生成できる。
【００２５】
請求項８に記載の発明では、制御量は、浴水を電気分解するときの電極（２２、２３）間を流れる制御電流値であって、この制御電流値は、電気伝導度が所定値以上のときと、電気伝導度が所定値以下のときとが異なる二つの制御量であることを特徴としている。
【００２６】
請求項８に記載の発明によれば、二つの制御量のうち、電気伝導度が所定値以下のときに用いる制御電流値の制御量は、例えば、次亜塩素酸の生成が上限を超えない制御電流値として固定しておくことで、塩素イオン濃度ごとに所定値を複数段階設定して制御するよりも一つに固定することで簡素な制御が可能となる。
【００２７】
請求項９に記載の発明では、制御量は、浴水を電気分解するときの電極（２２、２３）間を流れる制御電流値であって、電気伝導度が所定値以下のときに電気伝導度に対する制御電流値の変化度合が大であるとともに、電気伝導度が所定値以上のときに電気伝導度に対する制御電流値の変化度合が小であることを特徴としている。
【００２８】
請求項９に記載の発明によれば、塩素イオン濃度ごとに複数段階の制御電流値を設定して制御することで、塩素イオン濃度に応じたきめ細かい次亜塩素酸の生成ができる。
【００２９】
請求項１０に記載の発明では、制御量は、電気伝導度が所定値以下のときに、電極（２２、２３）間に印加する電圧が一定であることを特徴としている。
【００３０】
請求項１０に記載の発明によれば、電圧が一定であっても、塩素イオン濃度により電気伝導度が異なるので、塩素イオン濃度ごとに電極（２２、２３）間に流れる制御電流値を可変できるので請求項９と同じ効果を奏する。
【００３１】
なお、上記各手段の括弧内の符号は、後述する実施形態の具体的手段との対応関係を示すものである。
【００３２】
【発明の実施の形態】
（第１実施形態）
以下、本発明の浴水浄化装置を浴槽内の浴水を浄化、保温する浴水浄化装置に適用した第１実施形態を図１ないし図６に基づいて説明する。図１は浴水浄化装置１０の全体構成を示す模式図である。本実施形態の浴水浄化装置１０は、図１に示すように大別すると、次亜塩素酸を含む電解水を生成する電解水生成手段２０と浴槽１内の浴水を循環させて浴水を浄化、保温する浴水浄化手段３０とから構成されている。
【００３３】
浴水浄化手段３０には、浴水を使用し時間が経過することにより汚れが生じた浴槽１内の浴水中の懸濁物質を濾過する浄化部３１ａを内部に備えた浄化手段である浄化槽３１、浴水を汲み上げる循環手段である循環ポンプ３２および浴水を加温しその浴水の温度を調整するヒータ３３などの機能部品が備えられている。
【００３４】
そして、浴槽１から浴水を汲み上げて浄化槽３１、循環ポンプ３２、ヒータ３３および浴槽１に戻すための各接続配管Ａ、Ｂ、Ｃ、Ｄ、Ｅによってなる循環通水路と、上流端が図示しない給湯器に接続され、下流端が接続配管Ｃと接続配管Ｄとの間に設けられた第２三方弁３５に接続される給湯配管Ｇからなる給水路と、上流端が接続配管Ａと接続配管Ｂとの間に設けられた第１三方弁３４に接続され下流端が浴槽１外に排水する排水配管Ｈからなる排水路とが形成されている。
【００３５】
接続配管Ａは、浴槽１から浴水を吸入するための吸入管であって、上流側端部には、浴槽１内から接続配管Ａに浴水を吸入するための図示しない吸入ユニットが取り付けられている。この吸入ユニットには、浴槽１に溜められる浴水に浸漬される位置に形成された吸入口（図示しない）と、この吸入口よりも下流側に設けられたフィルタ（図示しない）と、このフィルタよりもさらに下流側に設けられた逆止弁（図示しない）とを有している。
【００３６】
これにより、浴水が吸入ユニットを通過する際に、フィルタ（図示せず）により浴水に混入している髪の毛などの大きなごみは除去される。また、さらに下流側に設けられた逆止弁（図示せず）によって浴水の浴槽１への逆流は防止される。
【００３７】
接続配管Ａの下流端に設けられた第１三方弁３４は、接続配管Ａから吸入した浴水を浄化槽３１へ流通させるか、または浄化槽３１から排水配管Ｈのいずれかに流れ方向を切り換えるための三方弁である。一方、接続配管Ｃに設けられた第２三方弁３５は、接続配管Ｃから接続配管Ｄに流通させるか、または給湯配管Ｇから接続配管Ｃのいずれかに流れ方向を切り換えるための三方弁である。
【００３８】
次に、浄化槽３１の浄化部３１ａは、濾材として、例えばφ０．３〜０．５ｍｍ程度のセラミックスからなるビーズを積層させたもので、その浄化部３１ａに浴水を流通させて浴水中の懸濁物質粒子などの汚れを物理的に除去する。
【００３９】
接続配管Ｄは一端が第２三方弁３５に他端がヒータ３３に接続されて、中途に循環ポンプ３２が設けられている。ヒータ３３は浄化槽３１により浄化された浴水を加温するための加熱手段であって、接続配管Ａに設けられた水温センサ３６によって検知される浴水温度に基づいて、浴水を所定の水温に維持するように加温する。
【００４０】
接続配管Ｅは浄化、加温された浴水を浴槽１内に戻すための吐出管である。下流側端部には浴槽１に溜められる浴水に浸漬される位置に形成された吐出口（図示しない）を有する吐出ユニットが取り付けられている。なお、接続配管Ｅの下流側には図示しない浴槽１内の水位を検出する水位スイッチもしくは圧力センサが設けられおり、この水位スイッチもしくは圧力センサによる水位レベル情報を後述する制御装置４０に出力するように接続されている。水位レベル情報は、制御装置４０において、水位レベルの上昇、下降によって入浴者の有無を検知する情報である。
【００４１】
以上の構成による浴水浄化手段３０は、運転モードのうち、浴水を浄化および加温する浄化保温モードのときには、後述する制御装置４０の制御によって、第１、第２三方弁３４、３５が図１に示す実線の矢印の方向に流れ方向となるように切り換えられ、かつ循環ポンプ３２を作動させることで、浴槽１内の浴水が、浴槽１→接続配管Ａ→第１三方弁３４→接続配管Ｂ→浄化槽３１→接続配管Ｃ→第２三方弁３５→接続配管Ｄ→ヒータ３３→接続配管Ｅ→浴槽１の経路で循環される。これにより、浴槽１内の浴水が浄化および加温されるものである。
【００４２】
また、上述の浄化保温モード運転によって、浄化部３１ａの上流側に溜まった浴水中の懸濁物質粒子などの汚れを除去するために、浄化槽３１内を浄化保温モード運転のときと逆方向にお湯を流す運転モードとして洗浄モードを有している。この洗浄モード運転のときには、後述する制御装置４０の制御によって、第１、第２三方弁３４、３５が図１に示す破線の矢印の方向に流れ方向となるように切り換えられて、図示しない給湯器からのお湯が、給湯配管Ｇ→第２三方弁３５→接続配管Ｃ→浄化槽２１→接続配管Ｂ→第１三方弁３４→排水配管Ｈ→機外の順に流通される。
【００４３】
浄化槽２１内を逆に流通させることで、浄化部３１ａの上流側に溜まった懸濁物質粒子などの汚れが機外に排水されて浄化槽３１が洗浄される。なお、ここでは図示しない給湯器からお湯を浄化槽３１に導いたが、これに限らず、上水に接続して水道水で洗浄しても良い。
【００４４】
次に、本発明の要部である電解水生成手段２０について説明する。電解水生成手段２０は、浴水浄化手段３０に循環させる浴水の一部を導き、その浴水中の塩素イオンから浴水を抗菌するための次亜塩素酸を電気分解によって生成させて浴水に混入させるものである。
【００４５】
電解水生成手段２０は、浴水が導かれる電解槽２１、この電解槽２１内に配設され互いに極性の異なる電極２２、２３およびこの両電極２２、２３に電圧を印加する電圧印加手段２４、電解槽２１内の浴水の電気伝導度を検知する電気伝導度検知手段２５および制御手段である制御装置４０から構成されている。
【００４６】
電解槽２１は、アルカリに強いプラスチックなどの材料で形成された容器であって、下方に浴水を電解槽２１内に導くための接続配管Ｆと上方に生成された次亜塩素酸を含む電解水が浴水浄化手段３０内の浴水に供給するための接続配管Ｊとが設けられ、接続配管Ｆの上流端が循環ポンプ３２の下流側の接続配管Ｄに分岐して接続されるとともに、この接続個所の下流側に接続配管Ｊの下流端を接続させている。
【００４７】
そして、浄化、保温モード運転のときに、循環ポンプ３２により浴槽１内の浴水の一部が電解槽２１内に流通されるようになっている。なお、この電解槽２１内に流通する浴水の流量は、生成された次亜塩素酸を含む電解水が浴水浄化手段３０内の浴水に徐々に混入させるために電解槽２１を迂回する流量よりも少なくなるように設定している。
【００４８】
電極２２、２３は、導電性金属（例えば、Ｐｔ−Ｔｉ合金製）の材料で板状に形成され、かつ電解槽２１内に対向して配設されている。そして、それぞれの電極２２、２３は電圧印加手段２４および電気伝導度検知手段２５に接続されている。
【００４９】
電圧印加手段２４は電解効率の低下を防止するために、電極２２、２３に印加される電圧の極性が所定時間Ｔ１（例えば５分）ごとに陽極から陰極に極性が交互に切り換えて通電させるように制御装置４０によって制御される。これにより、陰極側へのスケールの付着を防止して電解性能を維持するようにしてある。なお、電極２２、２３に印加する電圧は電解槽２２内を流れる電流が必要次亜塩素酸濃度を発生させる所定値となるように制御装置４０により電圧印加手段２４に制御される。
【００５０】
電気伝導度検知手段２５は、浴水内に含まれる後述する塩素イオン濃度を検知する代わりに、図２に示すように、電圧印加手段２４と電極２３との間に電流検知用抵抗２５ａ（例えば、０．１Ω程度）を設け、電圧印加手段２４により両電極２２、２３間に所定電圧を印加することで、電流検知用抵抗２５ａの電圧降下により電極２２、２３間の浴水に流れる電流値をＡ／Ｄ変換２５ｂを介して制御装置４０に出力させるように構成したものである。
【００５１】
従って、本実施形態の電気伝導度検知手段２５は、浄化、保温モード運転の開始のとき、つまり、次亜塩素酸を含む電解水を生成する前に、電流検知用抵抗２５ａを流れる電流値を検知することで、電解槽２１内に導かれた浴水の電気伝導度を検知することができるものである。これは塩素イオン濃度と電気伝導度とが比例関係であるため、直接塩素イオン濃度を検知することなく電気伝導度検知手段２５により電流値を検知して電気伝導度を求めるものである。
【００５２】
次に、浴水浄化装置１０を制御する制御手段である制御装置４０は、上述した水温センサ３６、操作盤５０からの入力信号および電気伝導度検知手段２５からの電流情報に基づいて、電圧印加手段２４、循環ポンプ３２、ヒータ３３、第１三方弁３４、および第２三方弁３５を制御するように構成されている。また、操作盤５０には、図示しない抗菌スイッチなどの操作スイッチが設けられている。
【００５３】
そして、操作盤５０の抗菌スイッチをオンに操作しておけば、図示しない水位スイッチにより浴水の水位レベルの上昇を検知することによって、入浴者の有無を検知した後、所定時間後に浄化、保温モード運転が開始するように設定されている。そして、この浄化、保温モード運転が開始されると、浴槽１内の浴水の一部が電解槽２１内に導かれ、この浴水の電気伝導度を検知した後に、電気伝導度に基づいて浴水に混入させる次亜塩素酸の必要生成量を求め、この必要生成量となるように電圧印加手段２４に電源が通電され、電解槽２１内に流通する浴水を電気分解するとともに、浴水浄化手段３０側の浴水が浄化および加温されるように制御装置４０によって制御される。
【００５４】
また、浄化、保温モード運転が終了すると、自動的に洗浄モード運転が実行され、浄化槽３１内を逆流させて浄化部３１ａの上流側に溜まった浴水中の懸濁物質粒子などの汚れを除去するように制御装置４０によって制御される。さらに、制御装置４０は、マイクロコンピュータを主体として構成され、内蔵のＲＯＭ（図示せず）には、予め設定された制御プログラムに従って演算処理を行なう電気伝導度演算手段４０ａと必要次亜塩素酸制御手段４０ｂとが設けられている。
【００５５】
この電気伝導度演算手段４０ａは、電気伝導度検知手段２５より検知された電流値に基づいて電気伝導度を求める演算手段であって、予めＲＯＭ内に記憶された電気伝導度特性から電気伝導度を求めるものである。具体的には、図３に示すように、電流値と電気伝導度との関係から、例えば検知された電流値が１Ａのときに電気伝導度を１５ｍｓ／ｍと求めるものである。なお、本実施形態では、この電気伝導度は、浴水に含まれる塩素イオン濃度を電気伝導度に置き換えたもので、図４に示すように、例えば水道水中に含まれる塩素イオン濃度と電気伝導度との関係から求めたものであり、塩素イオン濃度と電気伝導度とが比例関係を示している。
【００５６】
次に、必要次亜塩素酸制御手段４０ｂは、電気伝導度演算手段４０ａにより求められた電気伝導度に基づいて必要生成量を求めて電圧印加手段２４に出力する制御値を求める演算処理である。すなわち、塩素イオン濃度に応じた次亜塩素酸を生成する必要生成量を求めて、その必要生成量に基づいて次亜塩素酸を含む電解水を生成させるための制御量を求めて電圧印加手段２４を制御するものである。
【００５７】
因みに、本実施形態では、電気伝導度（塩素イオン濃度）が高いときには次亜塩素酸の電解能力を小レベルとし、電気伝導度（塩素イオン濃度）が低いときには次亜塩素酸の電解能力を大レベルの、例えば、図５に示すように、電解能力をレベル１からレベル５までの５段階に区分して、電気伝導度に応じて必要生成量を電解能力から選択するようにした。
【００５８】
これは、発明者らの研究によると、塩素イオンから次亜塩素酸を生成すると塩素イオン濃度が高いときには濃度の高い次亜塩素酸が生成され、塩素イオン濃度が低いときには濃度の低い次亜塩素酸が生成されることを見出した。そこで、本実施形態では、必要生成量として電気伝導度（塩素イオン濃度）が高いとき（例えば、４０から５０ｍｓ／ｍ）には電解能力が小さいレベル５を求め、逆に電気伝導度（塩素イオン濃度）が低いとき（例えば、１０から２０ｍｓ／ｍ）には電解能力が小さいレベル２を求めるようにしている。
【００５９】
これにより、電気伝導度（塩素イオン濃度）が高いときに過剰な次亜塩素酸の生成を抑制し、電気伝導度（塩素イオン濃度）が低いときに過不足とならないように次亜塩素酸を生成させるようにしたものである。なお、これらのレベル５からレベル１は、電圧印加手段２４への制御量として、例えば、印加電圧やその印加電圧を印加する時間を調整することで、予め設定した印加電圧および印加時間を制御量として出力させるものである。なお、印加電圧の他に両電極２２、２３に流れる電流値を可変させても良い。
【００６０】
次に、以上の構成による第１実施形態の浴水浄化装置１０の作動について説明する。まず、家庭用や業務用の風呂などでは、使用者が入浴すると浴水中に含まれる湯垢などの懸濁物質粒子中の有機物質や繁殖した雑菌などの汚れが生じる。また、この入浴後の浴水には、水道水に含まれる塩素イオンと入浴者の体液（具体的には汗）に含まれる塩素イオンおよびアンモニア性窒素などが溶解して含まれている。
【００６１】
そこで、本発明の浴水浄化装置１０は、浴水の汚れを浄化部３１ａの濾材で物理的にろ過させることにより浴水の浄化と、浴水の一部を導いてこの浴水から次亜塩素酸を含む電解水を生成し浴水に混入して汚れた浴水を次亜塩素酸により抗菌するものであって、特に、バラツキの大きい塩素イオン濃度を電気伝導度に置き換えて検知させて、この電気伝導度に応じた次亜塩素酸の必要生成量を求め、必要生成量を得るための制御量を出力させるように作動する。
【００６２】
ここでは、図示しない水位センサにより入浴の有無検知した後、所定時間後、浄化、保温モード運転が開始されることで抗菌運転が同時に開始される。つまり、制御装置４０により、第１、第２三方弁３４、３５を図１に示す実線の矢印の流れ方向に切り換えさせて循環ポンプ３２を作動させ、浴槽１内の浴水の一部を電解槽２１内に導かせる。
【００６３】
始めに、制御装置４０の制御プログラムにより、電気伝導度検知手段２５により電解槽２１内に導かれた浴水に流れる電流値である電流検知用抵抗２５ａを流れる電流値を検知し制御装置４０に出力する。そして、電気伝導度演算手段４０ａにより電流値に基づいた電気伝導度を求める。次に、必要次亜塩素酸制御手段４０ｂにより、求められた電気伝導度に基づいて必要生成量を求めるとともに、必要生成量に応じた制御量を演算処理する。
【００６４】
そして、必要生成量に応じた制御量が電圧印加手段２４に出力され、電圧印加手段２４に電源が通電され、両電極２２、２３間に電圧が印加されると、両電極２２、２３間に所定電流が流れて、導かれた浴水を以下に示すように電気分解する。因みに、両電極２２、２３間に印加される電圧の極性は所定時間Ｔ１毎に陽極から陰極に反転するように切り換えられるが、説明の便宜上、以下電極２２が陰極側の極性に、電極２３が陽極側の極性となっているときの電気分解による次亜塩素酸（ＨＣｌＯ）が生成される化学式について図６に基づいて説明する。
【００６５】
図６に示すように、陽極側の電極２３近傍では、下記化学式（１）によって示されるように水酸化物イオン（ＯＨ−）が分解され、相対的に水素イオン（Ｈ＋）濃度が高まることによって強酸性水が生成されるとともに、化学式（２）、（３）によって示すように、塩素イオン（Ｃｌ−）がいったん塩素ガス（Ｃｌ２↑）となった後、水と反応し抗菌成分である次亜塩素酸（ＨＣｌＯ）が生成される。
【００６６】
【化１】４ＯＨ−＋４ｅ＋→Ｏ２↑＋Ｈ２Ｏ
【００６７】
【化２】２Ｃｌ−＋２ｅ＋→Ｃｌ２↑
【００６８】
【化３】Ｈ２Ｏ＋Ｃｌ２→ＨＣｌＯ＋Ｈ＋＋Ｃｌ−
一方の陰極側の電極２２近傍では、下記化学式（４）に示すように、水素イオン（Ｈ＋）が水素ガス（Ｈ２↑）に分解され、相対的に水酸化イオン（ＯＨ−）の濃度が高められアルカリイオン水が生成される。
【００６９】
【化４】２Ｈ＋＋２ｅ−→Ｈ２↑
なお、電極２２、２３の陽陰が反転したときには、電極２２では化学式（１）〜（３）で示す反応が起こり、電極２３では化学式（４）で示す反応が起こるので、説明は省略する。また、陰極側に発生した水素ガス（Ｈ２↑）は、図示しない排気口から大気に排出される。
【００７０】
このように、電解槽２１内で生成された次亜塩素酸を含む電解水は接続配管Ｊから浴水浄化手段３０の接続配管Ｄ内を流通する浴水に混入されて浴槽１内に戻る。
【００７１】
ところで、本発明では、浄化する開始のときに浴水の電気伝導度を検知し、その電気伝導度に基づいて必要生成量となす次亜塩素酸を生成して浴水に混入するように構成している。すなわち、浴水に含まれる塩素イオン濃度に応じて必要生成量を求めて次亜塩素酸を含む電解水を生成させ、かつ電解槽２１を迂回する流量と電解槽２１を流通する流量との流量の割合を調整することで、徐々に浴水に電解水を混入させるように構成している。
【００７２】
なお、生成された次亜塩素酸を含む電解水を徐々に浴水に混入させることは、発明者らの研究によるものであって以下の理由による。すなわち、入浴後の浴水に含まれるアンモニア性窒素に次亜塩素酸を混入させることにより、浴水に含まれるアンモニア性窒素の濃度に対して浴水に混入する次亜塩素酸の濃度比が低めのときには臭いなどの不快の生じない結合塩素が生成され、次亜塩素酸の濃度比が高い、言い換えれば過剰な次亜塩素酸を生成させるとある濃度比から急速に遊離塩素が発生するとともに、不快な塩素臭を発する結合塩素が生成されやすいことが分かった。従って、短時間に次亜塩素酸を多量に生成させてアンモニア性窒素の濃度に対する次亜塩素酸の濃度比が高めとならないように混入させることが良い。
【００７３】
以上の第１実施形態の浴水浄化装置１０によれば、上述したように、入浴後の浴水には、入浴者の主に発汗などによって浴水中にアンモニア性窒素が溶解されているため、このアンモニア性窒素と次亜塩素酸との反応によって結合塩素が生成され、さらに、この結合塩素はアンモニア性窒素の濃度に対して次亜塩素酸の濃度比が高い、言い換えれば過剰な次亜塩素酸を生成させると遊離塩素や不快な塩素臭を発する結合塩素が生成されやすいことが分かった。
【００７４】
そこで、本発明の電解水生成手段２０は、浄化運転をするときに、浴水浄化手段３０を循環する浴水の一部を導き、かつ電気伝導度検知手段２５により検知された電気伝導度に基づいて次亜塩素酸の必要生成量を求めるとともに、この必要生成量に基づいて次亜塩素酸を含む電解水を生成させて浴水に混入するように構成したことにより、まず、電気伝導度検知手段２５によって浴水の塩素イオン濃度が検知できるとともに、バラツキの大きい塩素イオン濃度に応じた次亜塩素酸の必要生成量で生成できる。従って、次亜塩素酸の過不足な生成による抗菌作用の不足や雑菌の繁殖による浴水の濁度の上昇などを防止できる。また、次亜塩素酸の過剰な生成による不快な塩素臭の発生を防止できる。
【００７５】
さらに、上述したように浴水に混入させる次亜塩素酸を多量、かつ短時間で生成させて浴水に混入させると、次亜塩素酸の濃度比が高めとなってしまう。そこで、本発明は浄化する浴水の一部を導いて次亜塩素酸を含む電解水を生成させて浴水に混入するように構成したことにより、例えば、電解時間を長くして徐々に電解水を生成させることで大能力の電解水生成手段２０を必要とせず小型化できる。
【００７６】
また、電気分解させるための電極２２、２３を用いて、塩素イオン濃度の代わりに電極２２、２３間の電流値を検知することで電気伝導度が求めることができるため、塩素イオン濃度検出手段などの別の部品を必要とせず部品コストを安くできる。
【００７７】
また、電気伝導度が高いとき、つまり、バラツキの大きい塩素イオン濃度において、塩素イオン濃度が高いときには次亜塩素酸の生成量が多くなり、逆に塩素イオン濃度が低いときには次亜塩素酸の生成量が少なくなる。そこで、塩素イオン濃度に応じて電解水生成手段２０の電解能力を適合させることで、次亜塩素酸の過不足な生成による抗菌作用の不足や雑菌の繁殖による浴水の濁度の上昇などを防止できる。また、次亜塩素酸の過剰な生成による不快な塩素臭の発生を防止できる。
【００７８】
（第２実施形態）
以上の第１実施形態では、次亜塩素酸の必要生成量を制御手段である制御装置４０により、浄化、保温モード運転が開始されると、電気伝導度検出手段２５および電気伝導度演算手段４０ａにより、電解槽２１内に導かれた浄化前の浴水の電気伝導度を検知した後に、必要次亜塩素酸制御手段４０ｂにより電気伝導度に基づいて浴水に混入させる次亜塩素酸の必要生成量を求め、この必要生成量となるように電圧印加手段２４に制御量を出力させたが、これに限らず、入浴者の入浴ごとに浴水の電気伝導度を検知して、電気伝導度の変化量に応じて必要生成量を求めてその必要生成量に基づいた制御量を出力させても良い。
【００７９】
具体的には、図７に示すように、第１実施形態の制御装置４０に設けた電気伝導度演算手段４０ａおよび必要次亜塩素酸制御手段４０ｂに対して演算処理をそれぞれ下記のように変更した電気伝導度演算手段４０ｃおよび必要次亜塩素酸制御手段４０ｄを設けるとともに、電圧印加手段２４と制御装置４０との間に印加電圧切替器２６を追加したものである。なお、本実施形態の印加電圧切替器２６は、検知した電流値の変化量に応じて電圧印加手段２４に通電する印加電圧を段階的に切り替えて可変させるものである。
【００８０】
因みに、ここでは初期設定を最小電圧、例えばＤＣ８Ｖと設定し、入浴ごとに上昇する電流値の変化量に応じて印加電圧を、１Ｖごとに数段階（ＤＣ８Ｖ〜ＤＣ１６Ｖまで）切り替えるようにしてある。なお、図中に示す符号は第１実施形態と構成が同じものは同一の符号を示して説明は省略する。
【００８１】
次に、本実施形態の作動は、浄化、保温モード運転の前に、図示しない水位センサにより入浴の有無を検知するごとに、つまり、入浴ごとに、制御装置４０によって、第１、第２三方弁３４、３５を図１に示す実線の矢印の流れ方向に切り換えさせて循環ポンプ３２を作動させ、浴槽１内の浴水の一部を電解槽２１内に導かせる。そして、電気伝導度検知手段２５により浴水に流れる電流値を検知して制御装置４０に出力させる。
【００８２】
そして、電気伝導度演算手段４０ｃは、入浴ごとに検知した電流値の変化量をカウントするものである。なお、この電流値の変化量は、発明者らの実験によると、図８に示すように、概して入浴ごとに電流値が０．０５〜０．１Ａ程度上昇することが分かっている。従って、浄化運転を開始するときに、必要次亜塩素酸制御手段４０ｄは、電気伝導度演算手段４０ｃより入浴毎に求めた電流値の変化量に応じて必要生成量を求めて制御量を印加電圧切替器２６に出力するものである。因みに、５名の入浴者により電流値の変化量が０．５Ａであれば、必要生成量の制御量として印加電圧をＤＣ８Ｖ＋５Ｖ＝ＤＣ１３Ｖを印加するように印加電圧切替器２６に出力する。
【００８３】
これにより、入浴者の数による塩素イオン濃度のバラツキを検知する代わりに、入浴毎に電気伝導度を検知して、この電気伝導度の変化量に応じた必要生成量に基づいた制御量により浴水を電気分解して次亜塩素酸を生成することにより、塩素イオン濃度のバラツキに応じた次亜塩素酸の生成ができるため、次亜塩素酸の過不足な生成による抗菌作用の不足や雑菌の繁殖による浴水の濁度の上昇などを防止できる。また、次亜塩素酸の過剰な生成による不快な塩素臭の発生を防止できる。
【００８４】
なお、本実施形態では、必要次亜塩素酸制御手段４０ｄの制御量として、初期設定を最小電圧で固定したが、これに限らず、入浴前の塩素イオン濃度にもバラツキがあるため、電気伝導度を検知する一回目のときには、そのときの電気伝導度に応じた必要生成量に基づいた制御量を初期設定として求めておいて、この初期設定に、その後の電気伝導度の変化量を加算させるようにしても良い。これにより、浴水に含まれる塩素イオン濃度のバラツキ、および入浴人数による塩素イオン濃度のバラツキに応じた次亜塩素酸を含む電解水の生成ができる。
【００８５】
また、ここでは、制御量として、印加電圧を切り替える印加電圧切替器２６を設けたが、これに限らず、電極２２、２３間に流れる電解電流や両電極２２、２３に印加する印加時間を調整しても良い。
【００８６】
（第３実施形態）
以上の実施形態では、浴水に含まれる塩素イオン濃度を検知する代わりとして電気伝導度を検知したが、この電気伝導度は、発明者らの研究によると、同一の浴水を用いて電気伝導度を異なる２点で測定し、その異なる２点での電気伝導度の変化割合から浴水に含まれる各種イオンに対する塩素イオン比率を求めることができることを見出した。
【００８７】
具体的には、同一の浴水を４０℃と８０℃の２点に加熱してそれぞれの電気伝導度より、図９に示すように、浴水中のイオンに対する塩素イオン比率が電気伝導度変化割合より求めることができる。つまり、浴水中のイオンに対する塩素イオン比率は、（浴水の塩素イオン濃度）／（浴水のマイナスイオン濃度）×１００であって、電気伝導度変化割合を（８０℃の電気伝導度−４０℃の電気伝導度）／（４０℃の電気伝導度）×１００により求めれば良い。
【００８８】
そこで、図１０に示すように、電解槽２１内の水温を検知する第２水温センサ３６ａを設けて制御装置４０に電解槽２１内の温度情報を出力させる。さらに、接続配管Ｆにヒータ３３によって加熱された浴水の一部が導かれるように接続配管Ｆの上流側にヒータ３３を配設するように構成させる。
【００８９】
そして、浄化、保温モード運転を開始させると、電気伝導度検出手段２５および電気伝導度演算手段４０ａにより、ヒータ３３により加熱する前と加熱後の電解槽２１内の浴水温における電気伝導度を検知して、この２点の電気伝導度の変化割合より塩素イオン比率を求めることができる。従って、この塩素イオン比率に応じた次亜塩素酸の必要生成量を求めるようにしても良い。
【００９０】
これにより、電気伝導度は浴水温によってもバラツキを有しているため、異なる２点の浴水温からそれぞれの電気伝導度を求めることで、塩素イオン濃度をより精度良く検知することができる。
【００９１】
（第４実施形態）
第１実施形態では、必要次亜塩素酸制御手段４０ｂにより電気伝導度に基づいて浴水に混入させる次亜塩素酸の必要生成量を求め、この必要生成量となるように電圧印加手段２４に出力する制御量を、図５に示すように、電解能力をレベル１からレベル５までの５段階に区分して、電気伝導度に応じて必要生成量を電解能力から選択するようにしたが、これに限らず、本実施形態では、塩素イオン濃度に応じて電極２２、２３間に流れる制御電流値を制御量としたものである。
【００９２】
図１１（ａ）は、制御電流値と塩素イオン濃度との関係を示す特性図であって、具体的には、この塩素イオン濃度を図４に示す電気伝導度に置き換え、電気伝導度に応じた制御電流値を電圧印加手段２４に出力することで良い。
【００９３】
因みに、発明者らはこの制御電流値を実験によって求めている。つまり、塩素イオン濃度が異なっても浴水を抗菌するための次亜塩素酸発生能力を図１１（ｂ）に示すように、約０．８ｍｇ／ｍｉｎ程度を確保するための制御電流値を実験的に求めたものである。この制御電流値の特性は、図１１（ａ）に示すように、ある濃度（例えば、１５ｍｇ／Ｌ程度）を境として、この濃度より低いときは、塩素イオン濃度に対して制御電流値の変化度合が大きく、ある濃度以上では制御電流値の変化度合が小さくなっている。
【００９４】
そこで、本実施形態では、上記ある濃度を所定値（例えば、１５ｍｇ／Ｌ程度）と置き換えて、塩素イオン濃度が所定値（例えば、１５ｍｇ／Ｌ程度）以下のときには、塩素イオン濃度が１ｍｇ／Ｌごとの複数の制御電流値を第１制御量と設定し、塩素イオン濃度が所定値（例えば、１５ｍｇ／Ｌ程度）以上のときには、塩素イオン濃度が１０ｍｇ／Ｌごとの複数の制御電流値を第２制御量と設定して、予め必要次亜塩素酸制御手段４０ｂに記憶させておいて、塩素イオン濃度、言い換えれば、電気伝導度検知手段２５により検知された電気伝導度に応じた制御電流値の制御値を出力することで、塩素イオン濃度のバラツキが生じても浴水を抗菌するための必要とする次亜塩素酸の生成を実行するものである。
【００９５】
次に、図１２（ａ）は、電解水生成手段２０に試料Ｘ、Ｙ、Ｚの異なる塩素イオン濃度の浴水の一部を導いて、上述の第１制御量、または第２制御量のいずれかの制御電流値を電圧印加手段２４に出力して、次亜塩素酸を生成させて浴水に混入させたときの浴槽内における浴水の全塩素濃度の推移を測定した実験結果である。なお、このときの電解水生成手段２０の運転は、一人目が入浴したときに運転を開始し約９時間後に停止させたものである。
【００９６】
また、試料Ｘは、塩素イオン濃度が６ｍｇ／Ｌ、試料Ｙが４０ｍｇ／Ｌ、試料Ｚが１００ｍｇ／Ｌのときの図中実線で示す一人入浴と図中破線で示す六人入浴における全塩素濃度の推移を示してある。なお、この全塩素濃度は、浴水中に含まれるアンモニア性窒素と次亜塩素酸との反応によって得られる結合塩素と次亜塩素酸から発生する遊離塩素とが加算されたものであって、それぞれが抗菌作用を有するもので、この全塩素濃度が２ｍｇ／Ｌ以下であることが望ましい。
【００９７】
従って、いずれの試料も電解水生成手段２０の運転時間によって、全塩素濃度が徐々に上昇して上限値を超えることなく必要生成量となる次亜塩素酸の生成ができる。これにより、次亜塩素酸の過剰な生成による不快な塩素臭の発生を防止できる。
【００９８】
以上の第１、第２制御量を有する電解水生成手段２０によれば、塩素イオン濃度と必要とする次亜塩素酸が生成できる制御電流値との関係から塩素イオン濃度の所定値を境として所定値以下と所定値以上に区分させ、かつ所定値以下のときには、塩素イオン濃度が１ｍｇ／Ｌごとの複数の制御電流値とし、所定値以上のときには、塩素イオン濃度が１０ｍｇ／Ｌごとの複数の制御電流値とすることにより、塩素イオン濃度に応じたきめ細かい次亜塩素酸の生成ができる。これにより、次亜塩素酸の過不足な生成による抗菌作用の不足や雑菌の繁殖による浴水の濁度の上昇などを防止できる。また、次亜塩素酸の過剰な生成による不快な塩素臭の発生を防止できる。
【００９９】
（第５実施形態）
以上の第４実施形態では、塩素イオン濃度に基づいて、次亜塩素酸の必要生成量となるように電圧印加手段２４に出力する制御量を、塩素イオン濃度が所定値以下のときには、塩素イオン濃度が１ｍｇ／Ｌごとの複数の制御電流値とし、所定値以上のときには、塩素イオン濃度が１０ｍｇ／Ｌごとの複数の制御電流値としたが、塩素イオン濃度が所定値以下と所定値以上とを二つの制御電流値を制御量としても良い。
【０１００】
具体的には、図１３（ａ）に示すように、塩素イオン濃度が所定値（例えば、１５ｍｇ／Ｌ程度）以下の第１制御量を、例えば、０．８５Ａ一定とし、所定値（例えば、１５ｍｇ／Ｌ程度）以上の第２制御量を、例えば、０．６Ａ一定とすると良い。これによると、図１３（ｂ）に示すように、次亜塩素酸発生能力が、塩素イオン濃度が所定値（例えば、１５ｍｇ／Ｌ程度）以下のときに、０．８〜１．０ｍｇ／ｍｉｎ程度で、所定値（例えば、１５ｍｇ／Ｌ程度）以上のときに、０．７〜０．９ｍｇ／ｍｉｎ程度であって、全塩素濃度の実験結果については省略したが、次亜塩素酸の生成が過剰となることはない。
【０１０１】
上記構成によれば、第１制御量を次亜塩素酸発生能力が上限となる制御電流値と固定しておくことで、制御量が少なくとも二つの制御電流値で良いため、第４実施形態のように複数個の制御量を設定する必要がないため、必要次亜塩素酸制御手段４０ｂにおける制御処理が簡素に設けることができる。
【０１０２】
（第６実施形態）
以上の第４、第５実施形態では、塩素イオン濃度が所定値（例えば、１５ｍｇ／Ｌ程度）以下の第１制御量を制御電流値としたが、この第１制御量を電圧一定としても良い。第１制御量を、例えばＤＣ１５Ｖ一定とすると、図１４（ａ）に示すように、電極２２、２３間に流れる電流が１．０Ａ〜０．６Ａ程度に可変されることになる。これは、塩素イオン濃度、つまり、電気伝導度が変化することで、電極２２、２３間の抵抗が変わるためである。
【０１０３】
従って、電圧が一定の制御量であっても、塩素イオン濃度により電気伝導度が異なるので、塩素イオン濃度に応じた電流値に可変されるので第５実施形態と同様の効果を奏する。
【０１０４】
（他の実施形態）
以上の実施形態では、接続配管Ｊの下流端を接続配管Ｆ上流端の下流側の接続配管Ｄに接続したが、これに限らず、接続配管Ｊの下流端を直接、浴槽１内に流通させても良い。
【０１０５】
また、電解槽２１内に導く浴水の流量を調整するために、接続配管Ｆに流量調整弁を設けて電解槽２１を迂回する流量と電解槽２１を流通する流量との流量の割合を調整させても良い。
【０１０６】
なお、本実施形態に示した具体的な数値などはあくまでも一例であり、本発明はこれらに限定されるものではない。
【図面の簡単な説明】
【図１】本発明の第１実施形態における浴水浄化装置１０の全体構成を示す構成図である。
【図２】本発明の第１実施形態における電解水生成手段２０の全体構成を示す模式図である。
【図３】電気伝導度演算手段４０ａにおける電流値と電気伝導度との関係を示す特性図である。
【図４】電気伝導度と塩素イオン濃度との関係を示す特性図である。
【図５】必要次亜塩素酸制御手段４０ｂにおける次亜塩素酸電解能力と電気伝導度との関係を示す特性図である。
【図６】電解水生成手段２０のイオンの動きを示す説明図である。
【図７】本発明の第２実施形態における電解水生成手段２０の全体構成を示す模式図である。
【図８】入浴ごとの電流値と入浴経過時間との関係を示す特性図である。
【図９】本発明の第２実施形態における浴水中イオンの塩素イオン比率と電気伝導度変化割合との関係を示す特性図である。
【図１０】本発明の第３実施形態における浴水浄化装置１０の全体構成を示す構成図である。
【図１１】本発明の第４実施形態における（ａ）は、電解水生成手段２０の制御量となる制御電流値と塩素イオン濃度との関係を示す特性図、（ｂ）は、次亜塩素酸発生能力と塩素イオン濃度との関係を示す特性図である。
【図１２】本発明の第４実施形態における（ａ）は、全塩素濃度と経過時間（日数）との関係を示す特性図、（ｂ）は、（ａ）に示す試料Ｘ、Ｙ、Ｚの構成内容を示す構成図である。
【図１３】本発明の第５実施形態における（ａ）は、電解水生成手段２０の制御量となる制御電流値と塩素イオン濃度との関係を示す特性図、（ｂ）は、次亜塩素酸発生能力と塩素イオン濃度との関係を示す特性図である。
【図１４】本発明の第６実施形態における（ａ）は、電解水生成手段２０の制御量となる制御電流値と塩素イオン濃度との関係を示す特性図、（ｂ）は、次亜塩素酸発生能力と塩素イオン濃度との関係を示す特性図である。
【符号の説明】
１…浴槽
２０…電解水生成手段
２１…電解槽
２２、２３…電極
２５…電気伝導度検知手段
３０…浴水浄化手段
３１…浄化槽（浄化手段）
【図１】
2004089970.tif 000003
【図２】
2004089970.tif 000004
【図３】
2004089970.tif 000005
【図４】
2004089970.tif 000006
【図５】
2004089970.tif 000007
【図６】
2004089970.tif 000008
【図７】
2004089970.tif 000009
【図８】
2004089970.tif 000010
【図９】
2004089970.tif 000011
【図１０】
2004089970.tif 000012
【図１１】
2004089970.tif 000013
【図１２】
2004089970.tif 000014
【図１３】
2004089970.tif 000015
【図１４】
2004089970.tif 000016